(57)【要約】【課題】本発明は靴下保存設備を開示した。【解決手段】本発明は靴下保存設備を開示し、売り箱を含み、前記売り箱の中には回転チャンバが設置されており、前記回転チャンバの中には靴下を回転連動させる回転機構が設置されており、回転機構の中の連結棒が回転して、靴下を回転連動させ、もっと多い靴下をお客様の目の前に展示し、お客様に便利に選ばせ、保存機構の中の主カバーは回転機構の中の靴下の数量に応じて開き、保存チャンバの中の靴下をお客様に展示し、供給が需要に追いつかない状況を解決し、置き機構の中の置き溝は包装袋が破壊される靴下を提供し、普及する価値がある。【選択図】図１
2020179098.tif 000002
【特許請求の範囲】
【請求項１】
正面視で、靴下保存設備であって、売り箱を含み、前記売り箱の中には回転チャンバが設置されており、前記回転チャンバの中には靴下を回転連動させる回転機構が設置されており、前記回転チャンバの中には左右に対称的に移動チャンバが設置されており、左側の前記移動チャンバの左側にはラックチャンバが連通して設置されており、前記ラックチャンバの左側には噛合チャンバが連通して設置されており、前記噛合チャンバの後側には伝動チャンバが設置されており、前記伝動チャンバの前側には主ネジ山チャンバが設置されており、前記主ネジ山チャンバの前側には推しチャンバが連通して設置されており、前記推しチャンバの前側にはスライドチャンバが連通して設置されており、前記スライドチャンバの中には予備靴下を保存できる予備機構が設置されており、前記回転チャンバの下方には置きチャンバが設置されており、前記置きチャンバの下方には副ネジ山チャンバが設置されており、前記副ネジ山チャンバの下方には連結チャンバが設置されており、前記置きチャンバの上方には補助チャンバが設置されており、前記置きチャンバの中には包装袋の破壊された靴下を保存できる置き機構が設置されていることを特徴とする靴下保存設備。
【請求項２】
前記回転機構は左右の前記移動チャンバの間にスライドできるように取り付けられる回転棒を含み、前記回転棒には左右に対称的に回転ブロックが回転できるように取り付けられ、左右の前記回転ブロックの間には連結ロッドが固定的に取り付けられ、前記連結ロッドには固定ブロックが固定的に取り付けられ、前記固定ブロックの中にはフックがヒンジで取り付けられ、前記靴下が前記フックに掛けられており、前記回転棒の底部端面と前記移動チャンバの底壁の間には移動撥条が固定的に取り付けられ、前記回転チャンバの右側の内壁の中にはモーターが固定的に取り付けられ、前記モーターの左側の出力軸の左側端面にはモーター軸が固定的に取り付けられ、前記モーター軸には主スライダがネジ山によって取り付けられ、前記回転チャンバの頂壁の中にはスライド溝が設置されており、前記スライド溝には副スライダがスライドできるように取り付けられ、前記副スライダと前記主スライダの間にはカーテンが固定的に取り付けられ、前記カーテンの左側端面には主バックルが固定的に取り付けられ、前記売り箱の前側端面には副バックルが固定的に取り付けられ、
手動で回転ブロックを回転させ、連結ロッドを回転連動させ、靴下が回転し、お客様に展示することを特徴とする請求項１に記載の靴下保存設備。
【請求項３】
前記予備機構は前記ラックチャンバの中にスライドできるように取り付けられるラックを含み、前記ラックと前記回転棒とが固定的に連結され、前記伝動チャンバと前記噛合チャンバの間には噛合棒が回転できるように取り付けられ、前記噛合棒の前側端面には噛合歯車が固定的に取り付けられ、前記噛合歯車と前記ラックがと噛み合い、前記噛合棒の後側端面には第一歯車が固定的に取り付けられ、前記伝動チャンバと前記主ネジ山チャンバの間には主ネジ山ボルトが回転できるように取り付けられ、前記主ネジ山ボルトの後側端面には第二歯車が固定的に取り付けられ、前記第二歯車と前記第一歯車の間には主チェーンが伝動できるように取り付けられ、前記主ネジ山チャンバの中には主ネジ山ブロックがスライドできるように取り付けられ、前記主ネジ山ブロックの中には後に開口した主ネジ山穴が設置されており、前記主ネジ山穴と前記主ネジ山ボルトとがネジ山によって係合され、前記推しチャンバの中には主カバーがスライドできるように取り付けられ、前記主カバーと前記主ネジ山ブロックとが固定的に連結され、前記スライドチャンバの底壁にはレールが左右に対称的に固定的に取り付けられ、前記レールの中にはレール溝が設置されており、前記レール溝の中には滑車が回転できるように取り付けられ、前記滑車には保存箱がスライドできるように取り付けられ、前記保存箱の中には左に開口した副係止溝が設置されており、前記副係止溝の左側には主係止溝が連通して設置されており、前記主係止溝の左側にはロックチャンバが設置されており、前記ロックチャンバの後側内壁の中には前記売り箱の前側端面を貫通したロック歯車が回転できるように取り付けられ、前記ロック歯車の中にはロックシリンダーが設置されており、前記ロック歯車にはロックチェーンが固定的に取り付けられ、前記主係止溝の中には係止ブロックがスライドできるように取り付けられ、前記係止ブロックと前記ロックチェーンとが固定的に連結され、それによりロック歯車を回転させ、ロックチェーンを移動させ、係止ブロックを移動連動させ、係止ブロックが保存箱を止め、ラックが上へ移動して噛合歯車を回転連動させ、噛合歯車が回転して噛合棒を回転連動させ、噛合棒が回転して第一歯車を回転連動させ、第一歯車は主チェーンによって第二歯車を回転連動させ、第二歯車が回転して主ネジ山ボルトを回転連動させ、主ネジ山ボルトが回転して主ネジ山ブロックを後へ移動連動させ、主カバーを引っ張って後へ移動させることを特徴とする請求項１に記載の靴下保存設備。
【請求項４】
前記置き機構は前記置きチャンバの中にスライドできるように取り付けられる置き箱を含み、前記置き箱の中には上に開口した置き溝が設置されており、前記置きチャンバの頂壁には副カバーが固定的に取り付けられ、前記副カバーの中には伸縮チャンバが設置されており、前記伸縮チャンバの中には伸縮ボードがスライドできるように取り付けられ、前記伸縮ボードと前記伸縮チャンバとの間には伸縮撥条が固定的に取り付けられ、前記補助チャンバと前記連結チャンバとの間には伸縮棒が回転できるように取り付けられ、前記伸縮棒の頂部端面には伸縮歯車が固定的に取り付けられ、前記伸縮歯車と前記伸縮ボードとが噛み合い、前記伸縮棒の底部端面には第四歯車が固定的に取り付けられ、前記副ネジ山チャンバと前記連結チャンバとの間には副ネジ山ボルトが回転できるように取り付けられ、前記副ネジ山ボルトの底部端面には第三歯車が固定的に取り付けられ、前記第三歯車と前記第四歯車との間には副チェーンが伝動できるように取り付けられ、前記副ネジ山チャンバの中には副ネジ山ブロックがスライドできるように取り付けられ、前記副ネジ山ブロックの中には下に開口した副ネジ山穴が設置されており、ぜんき副ネジ山穴と前記副ネジ山ボルトとがネジ山によって係合され、前記副ネジ山ブロックと前記置き箱とが固定的に連結され、
伸縮ボードを推し、伸縮歯車を回転連動させ、前記伸縮歯車が回転して伸縮棒を回転連動させ、伸縮棒が回転して第四歯車を回転連動させ、第四歯車は副チェーンによって動力を伝達して第三歯車を回転連動させ、第三歯車が回転して副ネジ山ボルトを回転連動させ、副ネジ山ボルトが回転して副ネジ山ブロックを推して上へ移動させ、置き箱を上へ移動連動させることを特徴とする請求項１に記載の靴下保存設備。
【発明の詳細な説明】
【技術分野】
【０００１】
本発明は保存技術分野を取り上げて、具体的には靴下保存設備である。
【背景技術】
【０００２】
商店では、靴下展示棚に靴下が列に掛けられ、靴下と靴下が相互に重ない、お客様が靴下を選ぶ時、遮られて見えない靴下がある。また客の流れが絶えない時、掛けられている靴下が売れきれると、お客様に選択できる予備の靴下がなく、靴下の包装袋がお客様に破壊されるかもしれなく、売上に影響を与え、そのためお客様に便利に展示し、それに靴下の予備と包装袋が破壊される靴下の功能のある靴下保存設備が必要ある。
【先行技術文献】
【特許文献】
【０００３】
【特許文献１】中国特許出願公開第１０８１５８０４８号明細書
【発明の概要】
【発明が解決しようとする課題】
【０００４】
本発明の目的は靴下保存設備を提供し、現有の技術の上記欠点を克服できる。
【課題を解決するための手段】
【０００５】
本発明の実施例における靴下保存設備は、売り箱を含み、前記売り箱の中には回転チャンバが設置されており、前記回転チャンバの中には靴下を回転連動させる回転機構が設置されており、前記回転チャンバの中には左右に対称的に移動チャンバが設置されており、左側の前記移動チャンバの左側にはラックチャンバが連通して設置されており、前記ラックチャンバの左側には噛合チャンバが連通して設置されており、前記噛合チャンバの後側には伝動チャンバが設置されており、前記伝動チャンバの前側には主ネジ山チャンバが設置されており、前記主ネジ山チャンバの前側には推しチャンバが連通して設置されており、前記推しチャンバの前側にはスライドチャンバが連通して設置されており、前記スライドチャンバの中には予備靴下を保存できる予備機構が設置されており、前記回転チャンバの下方には置きチャンバが設置されており、前記置きチャンバの下方には副ネジ山チャンバが設置されており、前記副ネジ山チャンバの下方には連結チャンバが設置されており、前記置きチャンバの上方には補助チャンバが設置されており、前記置きチャンバの中には包装袋の破壊された靴下を保存できる置き機構が設置されている。
【０００６】
更なる技術方案、前記回転機構は左右の前記移動チャンバの間にスライドできるように取り付けられる回転棒を含み、前記回転棒には左右に対称的に回転ブロックが回転できるように取り付けられ、左右の前記回転ブロックの間には連結ロッドが固定的に取り付けられ、前記連結ロッドには固定ブロックが固定的に取り付けられ、前記固定ブロックの中にはフックがヒンジで取り付けられ、前記靴下が前記フックに掛けられており、前記回転棒の底部端面と前記移動チャンバの底壁の間には移動撥条が固定的に取り付けられ、前記回転チャンバの右側の内壁の中にはモーターが固定的に取り付けられ、前記モーターの左側の出力軸の左側端面にはモーター軸が固定的に取り付けられ、前記モーター軸には主スライダがネジ山によって取り付けられ、前記回転チャンバの頂壁の中にはスライド溝が設置されており、前記スライド溝には副スライダがスライドできるように取り付けられ、前記副スライダと前記主スライダの間にはカーテンが固定的に取り付けられ、前記カーテンの左側端面には主バックルが固定的に取り付けられ、前記売り箱の前側端面には副バックルが固定的に取り付けられている。
【０００７】
更なる技術方案、前記予備機構は前記ラックチャンバの中にスライドできるように取り付けられるラックを含み、前記ラックと前記回転棒とが固定的に連結され、前記伝動チャンバと前記噛合チャンバの間には噛合棒が回転できるように取り付けられ、前記噛合棒の前側端面には噛合歯車が固定的に取り付けられ、前記噛合歯車と前記ラックがと噛み合い、前記噛合棒の後側端面には第一歯車が固定的に取り付けられ、前記伝動チャンバと前記主ネジ山チャンバの間には主ネジ山ボルトが回転できるように取り付けられ、前記主ネジ山ボルトの後側端面には第二歯車が固定的に取り付けられ、前記第二歯車と前記第一歯車の間には主チェーンが伝動できるように取り付けられ、前記主ネジ山チャンバの中には主ネジ山ブロックがスライドできるように取り付けられ、前記主ネジ山ブロックの中には後に開口した主ネジ山穴が設置されており、前記主ネジ山穴と前記主ネジ山ボルトとがネジ山によって係合され、前記推しチャンバの中には主カバーがスライドできるように取り付けられ、前記主カバーと前記主ネジ山ブロックとが固定的に連結され、前記スライドチャンバの底壁にはレールが左右に対称的に固定的に取り付けられ、前記レールの中にはレール溝が設置されており、前記レール溝の中には滑車が回転できるように取り付けられ、前記滑車には保存箱がスライドできるように取り付けられ、前記保存箱の中には左に開口した副係止溝が設置されており、前記副係止溝の左側には主係止溝が連通して設置されており、前記主係止溝の左側にはロックチャンバが設置されており、前記ロックチャンバの後側内壁の中には前記売り箱の前側端面を貫通したロック歯車が回転できるように取り付けられ、前記ロック歯車の中にはロックシリンダーが設置されており、前記ロック歯車にはロックチェーンが固定的に取り付けられ、前記主係止溝の中には係止ブロックがスライドできるように取り付けられ、前記係止ブロックと前記ロックチェーンとが固定的に連結されている。
【０００８】
更なる技術方案、前記置き機構は前記置きチャンバの中にスライドできるように取り付けられる置き箱を含み、前記置き箱の中には上に開口した置き溝が設置されており、前記置きチャンバの頂壁には副カバーが固定的に取り付けられ、前記副カバーの中には伸縮チャンバが設置されており、前記伸縮チャンバの中には伸縮ボードがスライドできるように取り付けられ、前記伸縮ボードと前記伸縮チャンバとの間には伸縮撥条が固定的に取り付けられ、前記補助チャンバと前記連結チャンバとの間には伸縮棒が回転できるように取り付けられ、前記伸縮棒の頂部端面には伸縮歯車が固定的に取り付けられ、前記伸縮歯車と前記伸縮ボードとが噛み合い、前記伸縮棒の底部端面には第四歯車が固定的に取り付けられ、前記副ネジ山チャンバと前記連結チャンバとの間には副ネジ山ボルトが回転できるように取り付けられ、前記副ネジ山ボルトの底部端面には第三歯車が固定的に取り付けられ、前記第三歯車と前記第四歯車との間には副チェーンが伝動できるように取り付けられ、前記副ネジ山チャンバの中には副ネジ山ブロックがスライドできるように取り付けられ、前記副ネジ山ブロックの中には下に開口した副ネジ山穴が設置されており、ぜんき副ネジ山穴と前記副ネジ山ボルトとがネジ山によって係合され、前記副ネジ山ブロックと前記置き箱とが固定的に連結されている。
【発明の効果】
【０００９】
本発明は結構が簡単で、操作が便利で、回転機構の中の連結棒が回転して、靴下を回転連動させ、もっと多い靴下をお客様の目の前に展示し、お客様に便利に選ばせ、保存機構の中の主カバーは回転機構の中の靴下の数量に応じて開き、保存チャンバの中の靴下をお客様に展示し、供給が需要に追いつかない状況を解決し、置き機構の中の置き溝は包装袋が破壊される靴下を提供し、普及する価値がある。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成模式図
【図２】図２は図１のＡーＡの方向の断面構成模式図
【図３】図３は図１のＢ―Ｂの方向の断面構成模式図
【発明を実施するための形態】
【００１２】
図１〜３を参考して、本発明の実施例における靴下保存設備は、売り箱６０を含み、前記売り箱６０の中には回転チャンバ７４が設置されており、前記回転チャンバ７４の中には靴下７５を回転連動させる回転機構８０が設置されており、前記回転チャンバ７４の中には左右に対称的に移動チャンバ１１が設置されており、左側の前記移動チャンバ１１の左側にはラックチャンバ１２が連通して設置されており、前記ラックチャンバ１２の左側には噛合チャンバ１３が連通して設置されており、前記噛合チャンバ１３の後側には伝動チャンバ６１が設置されており、前記伝動チャンバ６１の前側には主ネジ山チャンバ６５が設置されており、前記主ネジ山チャンバ６５の前側には推しチャンバ６９が連通して設置されており、前記推しチャンバ６９の前側にはスライドチャンバ２９が連通して設置されており、前記スライドチャンバ２９の中には予備靴下７５を保存できる予備機構９０が設置されており、前記回転チャンバ７４の下方には置きチャンバ３４が設置されており、前記置きチャンバ３４の下方には副ネジ山チャンバ３６が設置されており、前記副ネジ山チャンバ３６の下方には連結チャンバ４０が設置されており、前記置きチャンバ３４の上方には補助チャンバ４８が設置されており、前記置きチャンバ３４の中には包装袋の破壊された靴下７５を保存できる置き機構１００が設置されている。
【００１３】
有益又は例示的に、前記回転機構８０は左右の前記移動チャンバ１１の間にスライドできるように取り付けられる回転棒５５を含み、前記回転棒５５には左右に対称的に回転ブロック５９が回転できるように取り付けられ、左右の前記回転ブロック５９の間には連結ロッド５８が固定的に取り付けられ、前記連結ロッド５８には固定ブロック５７が固定的に取り付けられ、前記固定ブロック５７の中にはフック５６がヒンジで取り付けられ、前記靴下７５が前記フック５６に掛けられており、前記回転棒５５の底部端面と前記移動チャンバ１１の底壁の間には移動撥条１７が固定的に取り付けられ、前記回転チャンバ７４の右側の内壁の中にはモーター４９が固定的に取り付けられ、前記モーター４９の左側の出力軸の左側端面にはモーター軸７７が固定的に取り付けられ、前記モーター軸７７には主スライダ５０がネジ山によって取り付けられ、前記回転チャンバ７４の頂壁の中にはスライド溝５４が設置されており、前記スライド溝５４には副スライダ５３がスライドできるように取り付けられ、前記副スライダ５３と前記主スライダ５０の間にはカーテン５２が固定的に取り付けられ、前記カーテン５２の左側端面には主バックル５１が固定的に取り付けられ、前記売り箱６０の前側端面には副バックル１８が固定的に取り付けられ、
手動で回転ブロック５９を回転させ、連結ロッド５８を回転連動させ、靴下７５が回転し、お客様に展示し、モーター４９が始動し、モーター軸７７を回転連動させ、モーター軸７７が回転して主スライダ５０を左右に移動連動させ、副スライダ５３がスライド溝５４でスライドし、主バックル５１は副バックル１８を引掛け、設備をロックする。
【００１４】
有益又は例示的に、前記予備機構９０は前記ラックチャンバ１２の中にスライドできるように取り付けられるラック１６を含み、前記ラック１６と前記回転棒５５とが固定的に連結され、前記伝動チャンバ６１と前記噛合チャンバ１３の間には噛合棒１５が回転できるように取り付けられ、前記噛合棒１５の前側端面には噛合歯車１４が固定的に取り付けられ、前記噛合歯車１４と前記ラック１６がと噛み合い、前記噛合棒１５の後側端面には第一歯車６２が固定的に取り付けられ、前記伝動チャンバ６１と前記主ネジ山チャンバ６５の間には主ネジ山ボルト６６が回転できるように取り付けられ、前記主ネジ山ボルト６６の後側端面には第二歯車６４が固定的に取り付けられ、前記第二歯車６４と前記第一歯車６２の間には主チェーン６３が伝動できるように取り付けられ、前記主ネジ山チャンバ６５の中には主ネジ山ブロック６８がスライドできるように取り付けられ、前記主ネジ山ブロック６８の中には後に開口した主ネジ山穴６７が設置されており、前記主ネジ山穴６７と前記主ネジ山ボルト６６とがネジ山によって係合され、前記推しチャンバ６９の中には主カバー３１がスライドできるように取り付けられ、前記主カバー３１と前記主ネジ山ブロック６８とが固定的に連結され、前記スライドチャンバ２９の底壁にはレール２７が左右に対称的に固定的に取り付けられ、前記レール２７の中にはレール溝３２が設置されており、前記レール溝３２の中には滑車３３が回転できるように取り付けられ、前記滑車３３には保存箱２６がスライドできるように取り付けられ、前記保存箱２６の中には左に開口した副係止溝２５が設置されており、前記副係止溝２５の左側には主係止溝２４が連通して設置されており、前記主係止溝２４の左側にはロックチャンバ２１が設置されており、前記ロックチャンバ２１の後側内壁の中には前記売り箱６０の前側端面を貫通したロック歯車２２が回転できるように取り付けられ、前記ロック歯車２２の中にはロックシリンダー２３が設置されており、前記ロック歯車２２にはロックチェーン２０が固定的に取り付けられ、前記主係止溝２４の中には係止ブロック１９がスライドできるように取り付けられ、前記係止ブロック１９と前記ロックチェーン２０とが固定的に連結され、それによりロック歯車２２を回転させ、ロックチェーン２０を移動させ、係止ブロック１９を移動連動させ、係止ブロック１９が保存箱２６を止め、ラック１６が上へ移動して噛合歯車１４を回転連動させ、噛合歯車１４が回転して噛合棒１５を回転連動させ、噛合棒１５が回転して第一歯車６２を回転連動させ、第一歯車６２は主チェーン６３によって第二歯車６４を回転連動させ、第二歯車６４が回転して主ネジ山ボルト６６を回転連動させ、主ネジ山ボルト６６が回転して主ネジ山ブロック６８を後へ移動連動させ、主カバー３１を引っ張って後へ移動させる。
【００１５】
有益又は例示的に、前記置き機構１００は前記置きチャンバ３４の中にスライドできるように取り付けられる置き箱４４を含み、前記置き箱４４の中には上に開口した置き溝４５が設置されており、前記置きチャンバ３４の頂壁には副カバー７２が固定的に取り付けられ、前記副カバー７２の中には伸縮チャンバ７１が設置されており、前記伸縮チャンバ７１の中には伸縮ボード４６がスライドできるように取り付けられ、前記伸縮ボード４６と前記伸縮チャンバ７１との間には伸縮撥条７０が固定的に取り付けられ、前記補助チャンバ４８と前記連結チャンバ４０との間には伸縮棒４３が回転できるように取り付けられ、前記伸縮棒４３の頂部端面には伸縮歯車４７が固定的に取り付けられ、前記伸縮歯車４７と前記伸縮ボード４６とが噛み合い、前記伸縮棒４３の底部端面には第四歯車４２が固定的に取り付けられ、前記副ネジ山チャンバ３６と前記連結チャンバ４０との間には副ネジ山ボルト３７が回転できるように取り付けられ、前記副ネジ山ボルト３７の底部端面には第三歯車３８が固定的に取り付けられ、前記第三歯車３８と前記第四歯車４２との間には副チェーン４１が伝動できるように取り付けられ、前記副ネジ山チャンバ３６の中には副ネジ山ブロック３５がスライドできるように取り付けられ、前記副ネジ山ブロック３５の中には下に開口した副ネジ山穴３９が設置されており、ぜんき副ネジ山穴３９と前記副ネジ山ボルト３７とがネジ山によって係合され、前記副ネジ山ブロック３５と前記置き箱４４とが固定的に連結され、
伸縮ボード４６を推し、伸縮歯車４７を回転連動させ、前記伸縮歯車４７が回転して伸縮棒４３を回転連動させ、伸縮棒４３が回転して第四歯車４２を回転連動させ、第四歯車４２は副チェーン４１によって動力を伝達して第三歯車３８を回転連動させ、第三歯車３８が回転して副ネジ山ボルト３７を回転連動させ、副ネジ山ボルト３７が回転して副ネジ山ブロック３５を推して上へ移動させ、置き箱４４を上へ移動連動させる。
【００１６】
使用する時、手動で回転ブロック５９を回し、連結棒５８を回転連動させ、靴下７５が回転し、お客様に展示し、モーター４９が始動し、モーター軸７７を回転連動させ、モーター軸７７が回転して主スライダ５０を左右に移動連動させ、副スライダ５３がスライド溝５４でスライドし、主バックル５１は副バックル１８を引掛け、設備をロックでき、ロック歯車２２を回転させ、ロックチェーン２０を移動させ、係止ブロック１９を移動連動させ、係止ブロック１９が保存箱２６を止め、お客様が保存箱２６を引き出さないようにし、靴下７５が売れきれた時、ラック１６が上へ移動して噛合歯車１４を回転連動させ、噛合歯車１４が回転して噛合棒１５を回転連動させ、噛合棒１５が回転して第一歯車６３を回転連動させ、第一歯車６２は主チェーン６３によって動力を伝達して第二歯車６４を回転連動させ、第二歯車６４が回転して主ネジ山ボルト６６を回転連動させ、主ネジ山ボルト６６が回転して主ネジ山ブロック６８を後へ移動連動させ、主カバー３１を引っ張って後へ移動させ、保存チャンバ２８の中の靴下７５をお客様に展示し、伸縮ボード４６を推し動かし、伸縮歯車４７を回転連動させ、伸縮歯車４７が回転して伸縮棒４３を回転連動させ、伸縮棒４３が回転して第四歯車４２を回転連動させ、第四歯車４２は副チェーン４１によって動力を伝達して第三歯車３８を回転連動させ、第三歯車３８が回転して副ネジ山ボルト３７を回転連動させ、副ネジ山ボルト３７が回転して副ネジ山ブロック３５を推して上へ移動させ、置き箱４４を上へ移動連動させ、包装袋が破壊された靴下７５を置き溝４５の中に入れることができ。
【００１７】
本発明の有益な効果は：本発明は結構が簡単で、操作が便利で、回転機構の中の連結棒が回転して、靴下を回転連動させ、もっと多い靴下をお客様の目の前に展示し、お客様に便利に選ばせ、保存機構の中の主カバーは回転機構の中の靴下の数量に応じて開き、保存チャンバの中の靴下をお客様に展示し、供給が需要に追いつかない状況を解決し、置き機構の中の置き溝は包装袋が破壊される靴下を提供し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179098.tif 000003
【図２】
2020179098.tif 000004
【図３】
2020179098.tif 000005
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
正面視で、靴下保存設備であって、売り箱を含み、前記売り箱の中には回転チャンバが設置されており、前記回転チャンバの中には靴下を回転連動させる回転機構が設置されており、前記回転チャンバの中には左右に対称的に移動チャンバが設置されており、左側の前記移動チャンバの左側にはラックチャンバが連通して設置されており、前記ラックチャンバの左側には噛合チャンバが連通して設置されており、前記噛合チャンバの後側には伝動チャンバが設置されており、前記伝動チャンバの前側には主ネジ山チャンバが設置されており、前記主ネジ山チャンバの前側には推しチャンバが連通して設置されており、前記推しチャンバの前側にはスライドチャンバが連通して設置されており、前記スライドチャンバの中には予備靴下を保存できる予備機構が設置されており、前記回転チャンバの下方には置きチャンバが設置されており、前記置きチャンバの下方には副ネジ山チャンバが設置されており、前記副ネジ山チャンバの下方には連結チャンバが設置されており、前記置きチャンバの上方には補助チャンバが設置されており、前記置きチャンバの中には包装袋の破壊された靴下を保存できる置き機構が設置されており、
前記回転機構は左右の前記移動チャンバの間にスライドできるように取り付けられる回転棒を含み、前記回転棒には左右に対称的に回転ブロックが回転できるように取り付けられ、左右の前記回転ブロックの間には連結ロッドが固定的に取り付けられ、前記連結ロッドには固定ブロックが固定的に取り付けられ、前記固定ブロックの中にはフックがヒンジで取り付けられ、前記靴下が前記フックに掛けられており、前記回転棒の底部端面と前記移動チャンバの底壁の間には移動撥条が固定的に取り付けられ、前記回転チャンバの右側の内壁の中にはモーターが固定的に取り付けられ、前記モーターの左側の出力軸の左側端面にはモーター軸が固定的に取り付けられ、前記モーター軸には主スライダがネジ山によって取り付けられ、前記回転チャンバの頂壁の中にはスライド溝が設置されており、前記スライド溝には副スライダがスライドできるように取り付けられ、前記副スライダと前記主スライダの間にはカーテンが固定的に取り付けられ、前記カーテンの左側端面には主バックルが固定的に取り付けられ、前記売り箱の前側端面には副バックルが固定的に取り付けられ、
手動で回転ブロックを回転させ、連結ロッドを回転連動させ、靴下が回転し、お客様に展示し、
前記予備機構は前記ラックチャンバの中にスライドできるように取り付けられるラックを含み、前記ラックと前記回転棒とが固定的に連結され、前記伝動チャンバと前記噛合チャンバの間には噛合棒が回転できるように取り付けられ、前記噛合棒の前側端面には噛合歯車が固定的に取り付けられ、前記噛合歯車と前記ラックがと噛み合い、前記噛合棒の後側端面には第一歯車が固定的に取り付けられ、前記伝動チャンバと前記主ネジ山チャンバの間には主ネジ山ボルトが回転できるように取り付けられ、前記主ネジ山ボルトの後側端面には第二歯車が固定的に取り付けられ、前記第二歯車と前記第一歯車の間には主チェーンが伝動できるように取り付けられ、前記主ネジ山チャンバの中には主ネジ山ブロックがスライドできるように取り付けられ、前記主ネジ山ブロックの中には後に開口した主ネジ山穴が設置されており、前記主ネジ山穴と前記主ネジ山ボルトとがネジ山によって係合され、前記推しチャンバの中には主カバーがスライドできるように取り付けられ、前記主カバーと前記主ネジ山ブロックとが固定的に連結され、前記スライドチャンバの底壁にはレールが左右に対称的に固定的に取り付けられ、前記レールの中にはレール溝が設置されており、前記レール溝の中には滑車が回転できるように取り付けられ、前記滑車には保存箱がスライドできるように取り付けられ、前記保存箱の中には左に開口した副係止溝が設置されており、前記副係止溝の左側には主係止溝が連通して設置されており、前記主係止溝の左側にはロックチャンバが設置されており、前記ロックチャンバの後側内壁の中には前記売り箱の前側端面を貫通したロック歯車が回転できるように取り付けられ、前記ロック歯車の中にはロックシリンダーが設置されており、前記ロック歯車にはロックチェーンが固定的に取り付けられ、前記主係止溝の中には係止ブロックがスライドできるように取り付けられ、前記係止ブロックと前記ロックチェーンとが固定的に連結され、それによりロック歯車を回転させ、ロックチェーンを移動させ、係止ブロックを移動連動させ、係止ブロックが保存箱を止め、ラックが上へ移動して噛合歯車を回転連動させ、噛合歯車が回転して噛合棒を回転連動させ、噛合棒が回転して第一歯車を回転連動させ、第一歯車は主チェーンによって第二歯車を回転連動させ、第二歯車が回転して主ネジ山ボルトを回転連動させ、主ネジ山ボルトが回転して主ネジ山ブロックを後へ移動連動させ、主カバーを引っ張って後へ移動させ、
前記置き機構は前記置きチャンバの中にスライドできるように取り付けられる置き箱を含み、前記置き箱の中には上に開口した置き溝が設置されており、前記置きチャンバの頂壁には副カバーが固定的に取り付けられ、前記副カバーの中には伸縮チャンバが設置されており、前記伸縮チャンバの中には伸縮ボードがスライドできるように取り付けられ、前記伸縮ボードと前記伸縮チャンバとの間には伸縮撥条が固定的に取り付けられ、前記補助チャンバと前記連結チャンバとの間には伸縮棒が回転できるように取り付けられ、前記伸縮棒の頂部端面には伸縮歯車が固定的に取り付けられ、前記伸縮歯車と前記伸縮ボードとが噛み合い、前記伸縮棒の底部端面には第四歯車が固定的に取り付けられ、前記副ネジ山チャンバと前記連結チャンバとの間には副ネジ山ボルトが回転できるように取り付けられ、前記副ネジ山ボルトの底部端面には第三歯車が固定的に取り付けられ、前記第三歯車と前記第四歯車との間には副チェーンが伝動できるように取り付けられ、前記副ネジ山チャンバの中には副ネジ山ブロックがスライドできるように取り付けられ、前記副ネジ山ブロックの中には下に開口した副ネジ山穴が設置されており、前記副ネジ山穴と前記副ネジ山ボルトとがネジ山によって係合され、前記副ネジ山ブロックと前記置き箱とが固定的に連結され、
伸縮ボードを推し、伸縮歯車を回転連動させ、前記伸縮歯車が回転して伸縮棒を回転連動させ、伸縮棒が回転して第四歯車を回転連動させ、第四歯車は副チェーンによって動力を伝達して第三歯車を回転連動させ、第三歯車が回転して副ネジ山ボルトを回転連動させ、副ネジ山ボルトが回転して副ネジ山ブロックを推して上へ移動させ、置き箱を上へ移動連動させることを特徴とする靴下保存設備。
【手続補正２】
【補正対象書類名】明細書
【補正対象項目名】全文
【補正方法】変更
【補正の内容】
【発明の詳細な説明】
【技術分野】
【０００１】
本発明は保存技術分野を取り上げて、具体的には靴下保存設備である。
【背景技術】
【０００２】
商店では、靴下展示棚に靴下が列に掛けられ、靴下と靴下が相互に重ない、お客様が靴下を選ぶ時、遮られて見えない靴下がある。また客の流れが絶えない時、掛けられている靴下が売れきれると、お客様に選択できる予備の靴下がなく、靴下の包装袋がお客様に破壊されるかもしれなく、売上に影響を与え、そのためお客様に便利に展示し、それに靴下の予備と包装袋が破壊される靴下の功能のある靴下保存設備が必要ある。
【先行技術文献】
【特許文献】
【０００３】
【特許文献１】中国特許出願公開第１０８１５８０４８号明細書
【発明の概要】
【発明が解決しようとする課題】
【０００４】
本発明の目的は靴下保存設備を提供し、現有の技術の上記欠点を克服できる。
【課題を解決するための手段】
【０００５】
本発明の実施例における靴下保存設備は、売り箱を含み、前記売り箱の中には回転チャンバが設置されており、前記回転チャンバの中には靴下を回転連動させる回転機構が設置されており、前記回転チャンバの中には左右に対称的に移動チャンバが設置されており、左側の前記移動チャンバの左側にはラックチャンバが連通して設置されており、前記ラックチャンバの左側には噛合チャンバが連通して設置されており、前記噛合チャンバの後側には伝動チャンバが設置されており、前記伝動チャンバの前側には主ネジ山チャンバが設置されており、前記主ネジ山チャンバの前側には推しチャンバが連通して設置されており、前記推しチャンバの前側にはスライドチャンバが連通して設置されており、前記スライドチャンバの中には予備靴下を保存できる予備機構が設置されており、前記回転チャンバの下方には置きチャンバが設置されており、前記置きチャンバの下方には副ネジ山チャンバが設置されており、前記副ネジ山チャンバの下方には連結チャンバが設置されており、前記置きチャンバの上方には補助チャンバが設置されており、前記置きチャンバの中には包装袋の破壊された靴下を保存できる置き機構が設置されている。
【０００６】
更なる技術方案、前記回転機構は左右の前記移動チャンバの間にスライドできるように取り付けられる回転棒を含み、前記回転棒には左右に対称的に回転ブロックが回転できるように取り付けられ、左右の前記回転ブロックの間には連結ロッドが固定的に取り付けられ、前記連結ロッドには固定ブロックが固定的に取り付けられ、前記固定ブロックの中にはフックがヒンジで取り付けられ、前記靴下が前記フックに掛けられており、前記回転棒の底部端面と前記移動チャンバの底壁の間には移動撥条が固定的に取り付けられ、前記回転チャンバの右側の内壁の中にはモーターが固定的に取り付けられ、前記モーターの左側の出力軸の左側端面にはモーター軸が固定的に取り付けられ、前記モーター軸には主スライダがネジ山によって取り付けられ、前記回転チャンバの頂壁の中にはスライド溝が設置されており、前記スライド溝には副スライダがスライドできるように取り付けられ、前記副スライダと前記主スライダの間にはカーテンが固定的に取り付けられ、前記カーテンの左側端面には主バックルが固定的に取り付けられ、前記売り箱の前側端面には副バックルが固定的に取り付けられている。
【０００７】
更なる技術方案、前記予備機構は前記ラックチャンバの中にスライドできるように取り付けられるラックを含み、前記ラックと前記回転棒とが固定的に連結され、前記伝動チャンバと前記噛合チャンバの間には噛合棒が回転できるように取り付けられ、前記噛合棒の前側端面には噛合歯車が固定的に取り付けられ、前記噛合歯車と前記ラックがと噛み合い、前記噛合棒の後側端面には第一歯車が固定的に取り付けられ、前記伝動チャンバと前記主ネジ山チャンバの間には主ネジ山ボルトが回転できるように取り付けられ、前記主ネジ山ボルトの後側端面には第二歯車が固定的に取り付けられ、前記第二歯車と前記第一歯車の間には主チェーンが伝動できるように取り付けられ、前記主ネジ山チャンバの中には主ネジ山ブロックがスライドできるように取り付けられ、前記主ネジ山ブロックの中には後に開口した主ネジ山穴が設置されており、前記主ネジ山穴と前記主ネジ山ボルトとがネジ山によって係合され、前記推しチャンバの中には主カバーがスライドできるように取り付けられ、前記主カバーと前記主ネジ山ブロックとが固定的に連結され、前記スライドチャンバの底壁にはレールが左右に対称的に固定的に取り付けられ、前記レールの中にはレール溝が設置されており、前記レール溝の中には滑車が回転できるように取り付けられ、前記滑車には保存箱がスライドできるように取り付けられ、前記保存箱の中には左に開口した副係止溝が設置されており、前記副係止溝の左側には主係止溝が連通して設置されており、前記主係止溝の左側にはロックチャンバが設置されており、前記ロックチャンバの後側内壁の中には前記売り箱の前側端面を貫通したロック歯車が回転できるように取り付けられ、前記ロック歯車の中にはロックシリンダーが設置されており、前記ロック歯車にはロックチェーンが固定的に取り付けられ、前記主係止溝の中には係止ブロックがスライドできるように取り付けられ、前記係止ブロックと前記ロックチェーンとが固定的に連結されている。
【０００８】
更なる技術方案、前記置き機構は前記置きチャンバの中にスライドできるように取り付けられる置き箱を含み、前記置き箱の中には上に開口した置き溝が設置されており、前記置きチャンバの頂壁には副カバーが固定的に取り付けられ、前記副カバーの中には伸縮チャンバが設置されており、前記伸縮チャンバの中には伸縮ボードがスライドできるように取り付けられ、前記伸縮ボードと前記伸縮チャンバとの間には伸縮撥条が固定的に取り付けられ、前記補助チャンバと前記連結チャンバとの間には伸縮棒が回転できるように取り付けられ、前記伸縮棒の頂部端面には伸縮歯車が固定的に取り付けられ、前記伸縮歯車と前記伸縮ボードとが噛み合い、前記伸縮棒の底部端面には第四歯車が固定的に取り付けられ、前記副ネジ山チャンバと前記連結チャンバとの間には副ネジ山ボルトが回転できるように取り付けられ、前記副ネジ山ボルトの底部端面には第三歯車が固定的に取り付けられ、前記第三歯車と前記第四歯車との間には副チェーンが伝動できるように取り付けられ、前記副ネジ山チャンバの中には副ネジ山ブロックがスライドできるように取り付けられ、前記副ネジ山ブロックの中には下に開口した副ネジ山穴が設置されており、前記副ネジ山穴と前記副ネジ山ボルトとがネジ山によって係合され、前記副ネジ山ブロックと前記置き箱とが固定的に連結されている。
【発明の効果】
【０００９】
本発明は結構が簡単で、操作が便利で、回転機構の中の連結棒が回転して、靴下を回転連動させ、もっと多い靴下をお客様の目の前に展示し、お客様に便利に選ばせ、保存機構の中の主カバーは回転機構の中の靴下の数量に応じて開き、保存チャンバの中の靴下をお客様に展示し、供給が需要に追いつかない状況を解決し、置き機構の中の置き溝は包装袋が破壊される靴下を提供し、普及する価値がある。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成模式図
【図２】図２は図１のＡーＡの方向の断面構成模式図
【図３】図３は図１のＢ―Ｂの方向の断面構成模式図
【発明を実施するための形態】
【００１２】
図１〜３を参考して、本発明の実施例における靴下保存設備は、売り箱６０を含み、前記売り箱６０の中には回転チャンバ７４が設置されており、前記回転チャンバ７４の中には靴下７５を回転連動させる回転機構８０が設置されており、前記回転チャンバ７４の中には左右に対称的に移動チャンバ１１が設置されており、左側の前記移動チャンバ１１の左側にはラックチャンバ１２が連通して設置されており、前記ラックチャンバ１２の左側には噛合チャンバ１３が連通して設置されており、前記噛合チャンバ１３の後側には伝動チャンバ６１が設置されており、前記伝動チャンバ６１の前側には主ネジ山チャンバ６５が設置されており、前記主ネジ山チャンバ６５の前側には推しチャンバ６９が連通して設置されており、前記推しチャンバ６９の前側にはスライドチャンバ２９が連通して設置されており、前記スライドチャンバ２９の中には予備靴下７５を保存できる予備機構９０が設置されており、前記回転チャンバ７４の下方には置きチャンバ３４が設置されており、前記置きチャンバ３４の下方には副ネジ山チャンバ３６が設置されており、前記副ネジ山チャンバ３６の下方には連結チャンバ４０が設置されており、前記置きチャンバ３４の上方には補助チャンバ４８が設置されており、前記置きチャンバ３４の中には包装袋の破壊された靴下７５を保存できる置き機構１００が設置されている。
【００１３】
有益又は例示的に、前記回転機構８０は左右の前記移動チャンバ１１の間にスライドできるように取り付けられる回転棒５５を含み、前記回転棒５５には左右に対称的に回転ブロック５９が回転できるように取り付けられ、左右の前記回転ブロック５９の間には連結ロッド５８が固定的に取り付けられ、前記連結ロッド５８には固定ブロック５７が固定的に取り付けられ、前記固定ブロック５７の中にはフック５６がヒンジで取り付けられ、前記靴下７５が前記フック５６に掛けられており、前記回転棒５５の底部端面と前記移動チャンバ１１の底壁の間には移動撥条１７が固定的に取り付けられ、前記回転チャンバ７４の右側の内壁の中にはモーター４９が固定的に取り付けられ、前記モーター４９の左側の出力軸の左側端面にはモーター軸７７が固定的に取り付けられ、前記モーター軸７７には主スライダ５０がネジ山によって取り付けられ、前記回転チャンバ７４の頂壁の中にはスライド溝５４が設置されており、前記スライド溝５４には副スライダ５３がスライドできるように取り付けられ、前記副スライダ５３と前記主スライダ５０の間にはカーテン５２が固定的に取り付けられ、前記カーテン５２の左側端面には主バックル５１が固定的に取り付けられ、前記売り箱６０の前側端面には副バックル１８が固定的に取り付けられ、手動で回転ブロック５９を回転させ、連結ロッド５８を回転連動させ、靴下７５が回転し、お客様に展示し、モーター４９が始動し、モーター軸７７を回転連動させ、モーター軸７７が回転して主スライダ５０を左右に移動連動させ、副スライダ５３がスライド溝５４でスライドし、主バックル５１は副バックル１８を引掛け、設備をロックする。
【００１４】
有益又は例示的に、前記予備機構９０は前記ラックチャンバ１２の中にスライドできるように取り付けられるラック１６を含み、前記ラック１６と前記回転棒５５とが固定的に連結され、前記伝動チャンバ６１と前記噛合チャンバ１３の間には噛合棒１５が回転できるように取り付けられ、前記噛合棒１５の前側端面には噛合歯車１４が固定的に取り付けられ、前記噛合歯車１４と前記ラック１６がと噛み合い、前記噛合棒１５の後側端面には第一歯車６２が固定的に取り付けられ、前記伝動チャンバ６１と前記主ネジ山チャンバ６５の間には主ネジ山ボルト６６が回転できるように取り付けられ、前記主ネジ山ボルト６６の後側端面には第二歯車６４が固定的に取り付けられ、前記第二歯車６４と前記第一歯車６２の間には主チェーン６３が伝動できるように取り付けられ、前記主ネジ山チャンバ６５の中には主ネジ山ブロック６８がスライドできるように取り付けられ、前記主ネジ山ブロック６８の中には後に開口した主ネジ山穴６７が設置されており、前記主ネジ山穴６７と前記主ネジ山ボルト６６とがネジ山によって係合され、前記推しチャンバ６９の中には主カバー３１がスライドできるように取り付けられ、前記主カバー３１と前記主ネジ山ブロック６８とが固定的に連結され、前記スライドチャンバ２９の底壁にはレール２７が左右に対称的に固定的に取り付けられ、前記レール２７の中にはレール溝３２が設置されており、前記レール溝３２の中には滑車３３が回転できるように取り付けられ、前記滑車３３には保存箱２６がスライドできるように取り付けられ、前記保存箱２６の中には左に開口した副係止溝２５が設置されており、前記副係止溝２５の左側には主係止溝２４が連通して設置されており、前記主係止溝２４の左側にはロックチャンバ２１が設置されており、前記ロックチャンバ２１の後側内壁の中には前記売り箱６０の前側端面を貫通したロック歯車２２が回転できるように取り付けられ、前記ロック歯車２２の中にはロックシリンダー２３が設置されており、前記ロック歯車２２にはロックチェーン２０が固定的に取り付けられ、前記主係止溝２４の中には係止ブロック１９がスライドできるように取り付けられ、前記係止ブロック１９と前記ロックチェーン２０とが固定的に連結され、それによりロック歯車２２を回転させ、ロックチェーン２０を移動させ、係止ブロック１９を移動連動させ、係止ブロック１９が保存箱２６を止め、ラック１６が上へ移動して噛合歯車１４を回転連動させ、噛合歯車１４が回転して噛合棒１５を回転連動させ、噛合棒１５が回転して第一歯車６２を回転連動させ、第一歯車６２は主チェーン６３によって第二歯車６４を回転連動させ、第二歯車６４が回転して主ネジ山ボルト６６を回転連動させ、主ネジ山ボルト６６が回転して主ネジ山ブロック６８を後へ移動連動させ、主カバー３１を引っ張って後へ移動させる。
【００１５】
有益又は例示的に、前記置き機構１００は前記置きチャンバ３４の中にスライドできるように取り付けられる置き箱４４を含み、前記置き箱４４の中には上に開口した置き溝４５が設置されており、前記置きチャンバ３４の頂壁には副カバー７２が固定的に取り付けられ、前記副カバー７２の中には伸縮チャンバ７１が設置されており、前記伸縮チャンバ７１の中には伸縮ボード４６がスライドできるように取り付けられ、前記伸縮ボード４６と前記伸縮チャンバ７１との間には伸縮撥条７０が固定的に取り付けられ、前記補助チャンバ４８と前記連結チャンバ４０との間には伸縮棒４３が回転できるように取り付けられ、前記伸縮棒４３の頂部端面には伸縮歯車４７が固定的に取り付けられ、前記伸縮歯車４７と前記伸縮ボード４６とが噛み合い、前記伸縮棒４３の底部端面には第四歯車４２が固定的に取り付けられ、前記副ネジ山チャンバ３６と前記連結チャンバ４０との間には副ネジ山ボルト３７が回転できるように取り付けられ、前記副ネジ山ボルト３７の底部端面には第三歯車３８が固定的に取り付けられ、前記第三歯車３８と前記第四歯車４２との間には副チェーン４１が伝動できるように取り付けられ、前記副ネジ山チャンバ３６の中には副ネジ山ブロック３５がスライドできるように取り付けられ、前記副ネジ山ブロック３５の中には下に開口した副ネジ山穴３９が設置されており、前記副ネジ山穴３９と前記副ネジ山ボルト３７とがネジ山によって係合され、前記副ネジ山ブロック３５と前記置き箱４４とが固定的に連結され、
伸縮ボード４６を推し、伸縮歯車４７を回転連動させ、前記伸縮歯車４７が回転して伸縮棒４３を回転連動させ、伸縮棒４３が回転して第四歯車４２を回転連動させ、第四歯車４２は副チェーン４１によって動力を伝達して第三歯車３８を回転連動させ、第三歯車３８が回転して副ネジ山ボルト３７を回転連動させ、副ネジ山ボルト３７が回転して副ネジ山ブロック３５を推して上へ移動させ、置き箱４４を上へ移動連動させる。
【００１６】
使用する時、手動で回転ブロック５９を回し、連結棒５８を回転連動させ、靴下７５が回転し、お客様に展示し、モーター４９が始動し、モーター軸７７を回転連動させ、モーター軸７７が回転して主スライダ５０を左右に移動連動させ、副スライダ５３がスライド溝５４でスライドし、主バックル５１は副バックル１８を引掛け、設備をロックでき、ロック歯車２２を回転させ、ロックチェーン２０を移動させ、係止ブロック１９を移動連動させ、係止ブロック１９が保存箱２６を止め、お客様が保存箱２６を引き出さないようにし、靴下７５が売れきれた時、ラック１６が上へ移動して噛合歯車１４を回転連動させ、噛合歯車１４が回転して噛合棒１５を回転連動させ、噛合棒１５が回転して第一歯車６３を回転連動させ、第一歯車６２は主チェーン６３によって動力を伝達して第二歯車６４を回転連動させ、第二歯車６４が回転して主ネジ山ボルト６６を回転連動させ、主ネジ山ボルト６６が回転して主ネジ山ブロック６８を後へ移動連動させ、主カバー３１を引っ張って後へ移動させ、保存チャンバ２８の中の靴下７５をお客様に展示し、伸縮ボード４６を推し動かし、伸縮歯車４７を回転連動させ、伸縮歯車４７が回転して伸縮棒４３を回転連動させ、伸縮棒４３が回転して第四歯車４２を回転連動させ、第四歯車４２は副チェーン４１によって動力を伝達して第三歯車３８を回転連動させ、第三歯車３８が回転して副ネジ山ボルト３７を回転連動させ、副ネジ山ボルト３７が回転して副ネジ山ブロック３５を推して上へ移動させ、置き箱４４を上へ移動連動させ、包装袋が破壊された靴下７５を置き溝４５の中に入れることができ。
【００１７】
本発明の有益な効果は：本発明は結構が簡単で、操作が便利で、回転機構の中の連結棒が回転して、靴下を回転連動させ、もっと多い靴下をお客様の目の前に展示し、お客様に便利に選ばせ、保存機構の中の主カバーは回転機構の中の靴下の数量に応じて開き、保存チャンバの中の靴下をお客様に展示し、供給が需要に追いつかない状況を解決し、置き機構の中の置き溝は包装袋が破壊される靴下を提供し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。